(57)【特許請求の範囲】
【請求項１】
外周部にパネル部材に形成された取付け孔に係合可能な係合溝を有するグロメット本体と、該グロメット本体の内周部に形成され、線状部材が挿通可能な挿通孔と備えたグロメットにおいて、
前記グロメット本体の端部から挿通孔に亘って所定の隙間を有するスリットを形成することにより、前記スリットが形成されたグロメット本体の開口端部を当接および離隔可能にし、該開口端部の一方側に係合凹部を形成するとともに該開口端部の他方側に該係合凹部に係合する係合凸部を形成し、前記グロメット本体の前記挿通孔の方向および前記挿通孔の周方向に所定の厚みを持たせたことを特徴とするグロメット。
【請求項２】
前記線状部材がワイヤハーネスから構成されるとともに、該ワイヤハーネスの外周部にコルゲート管が装着され、
該挿通孔の内周面に、コルゲート管の外周部に形成された環状凹凸部に係合可能な係合凹凸部が形成されることを特徴とする請求項１記載のグロメット。
【発明の詳細な説明】
【０００１】
【発明の属する技術分野】
本発明はグロメットに関し、詳しくは、車体パネルの取付け孔にワイヤハーネス等の線状部材を保持したコルゲート管を挿通する際に、該取付け孔とワイヤハーネスが接触するのを防止するとともに、取付け孔を通してパネル内に水等が侵入するのを防止することができるグロメットに関する。
【０００２】
【従来の技術】
一般に、車体の外部と内部を区画するパネル部材に形成された取付け孔にワイヤハーネスを保持したグロメットを挿通する際に、取付け孔とグロメットが接触するのを防止するとともに、水等が取付け孔とコルゲート管の間の隙間からパネル内（室内）に侵入するのを防止するためにグロメットが使用されている。
【０００３】
従来のこの種のコルゲート管が挿通されたグロメットとしては、例えば、図12（ａ）（ｂ）のように示される。図12（ａ）（ｂ）において、１はコルゲート管であり、このコルゲート管１は外周部に環状凹部１ａおよび環状凸部１ｂが交互に連続して形成され、内周部にワイヤハーネス２が挿通されている。
【０００４】
また、図12（ｂ）おいて、３はグロメットであり、このグロメット３は、外周部に車体のパネル部材４の取付け孔４ａに嵌合される環状溝５ａが形成された筒状大径部５と、この筒状大径部５から突出し、コルゲート管１が挿通可能な筒状小径部６とから構成されている。
【０００５】
この筒状小径部６は一般的に室外側に配置されており、この筒状小径部６とコルゲート管１の間にテープ７を巻き付けることにより、コルゲート管１がグロメット３に固定されている。このようなグロメット３にあっては、コルゲート管１とパネル部材４の間に介装されることにより、コルゲート管１を液密的に保持しつつワイヤハーネス２をパネル部材３を通して室外および室内に配線することができる。
【０００６】
このグロメット３は、パネル部材４の端部を除いた部分に形成された円状の取付け孔４ａに装着されるものであるが、パネル部材の面積が小さくてパネル部材の端部を除いた部分に円状の取付け孔が形成できない場合や、ワイヤハーネスのレイアウトの関係からパネル部材の端部にワイヤハーネスを配線する場合には、専用のグロメットが必要になり、本出願人はこのようなグロメットとして、図13に示すような新規のグロメットを開発した。
【０００７】
図13において、11はグロメットであり、このグロメット11は外周部に車体パネル（パネル部材）12に形成された取付け孔12ａに係合可能な係合溝13ａを有するグロメット本体13を有している。
【０００８】
また、グロメット本体13の内周部には挿通孔13ｂが形成されており、この挿通孔13ｂにはコルゲート管１が挿通されるようになっている。このような構成を有するグロメット11にあっては、図示しない拡径機を挿通孔13ｂ内に挿通して挿通孔13ｂを拡開した後、コルゲート管１を挿通孔13ｂに挿通した後、係合溝13ａを取付け孔12ａに係合させることにより、グロメット11が車体パネル12に取付けられる。
【０００９】
【発明が解決しようとする課題】
しかしながら、このようなグロメット11にあっては、コルゲート管１を介してワイヤハーネス２を挿通孔13ｂに挿通する際に拡径機を挿通孔13ｂ内に挿通して挿通孔13ｂを拡開するようになっているため、拡径機が必要になる上に、挿通孔13ｂの挿通作業の作業工数が増大してしまい、未だ改善の余地がある。
【００１０】
そこで本発明は、線状部材を挿通孔に簡単に挿通することができるようにして線状部材の取付け作業の作業性を向上させることができるグロメットを提供することを目的としている。
【００１１】
【課題を解決するための手段】
請求項１記載の発明は、上記課題を解決するために、外周部にパネル部材に形成された取付け孔に係合可能な係合溝を有するグロメット本体と、該グロメット本体の内周部に形成され、線状部材が挿通可能な挿通孔と備えたグロメットにおいて、前記グロメット本体の端部から挿通孔に亘って所定の隙間を有するスリットを形成することにより、前記スリットが形成されたグロメット本体の開口端部を当接および離隔可能にし、該開口端部の一方側に係合凹部を形成するとともに該開口端部の他方側に該係合凹部に係合する係合凸部を形成し、前記グロメット本体の前記挿通孔の方向および前記挿通孔の周方向に所定の厚みを持たせたことを特徴とするものである。
【００１２】
その場合、グロメット本体の端部から挿通孔に亘ってスリットを形成し、このスリットが形成されたグロメット本体の開口端部を離隔させることにより、このスリットを通して線状部材を挿通孔に簡単に挿通することができる。また、挿通後には開口端部を当接させることにより、開口端部を閉塞して線状部材が挿通孔から抜け出るのを防止することができる。
【００１３】
また、開口端部を当接したときに、開口端部の一方側に形成された係合凹部を開口端部の他方側に形成された係合凹部に係合させているため、グロメット本体が横ずれしてグロメット本体の外周部に形成された係合溝がずれてしまうのを防止することができ、係合溝をパネル部材の挿通孔に確実に係合させることができる。
【００１４】
請求項２記載の発明は、上記課題を解決するために、請求項１記載の発明において、前記線状部材がワイヤハーネスから構成されるとともに、該ワイヤハーネスの外周部にコルゲート管が装着され、該挿通孔の内周面に、コルゲート管の外周部に形成された環状凹凸部に係合可能な係合凹凸部が形成されることを特徴としている。
【００１５】
その場合、コルゲート管がグロメット本体に対して横ずれするのを防止することができる。
【００１６】
【発明の実施の形態】
以下、本発明の実施形態を図面に基づいて説明する。
【００１７】
図１〜４は本発明に係るグロメットの第１実施形態を示す図である。
【００１８】
まず、構成を説明する。図１において、21はコルゲート管であり、このコルゲート管21は外周部に環状凹部21ａおよび環状凸部21ｂが交互に連続して形成され、内周部にワイヤハーネス（線状部材）22が挿通可能になっている。
【００１９】
また、図２〜４において、23はグロメットであり、このグロメット23は外周部に車体パネル（パネル部材）24の端部に形成された取付け孔24ａに係合可能な係合溝25ａを有するグロメット本体25を有している。なお、車体パネル24は室内および室外を区画する部位等に設けられているものである。
【００２０】
また、グロメット本体25の内周部には挿通孔25ｂが形成されており、この挿通孔25ｂにはコルゲート管21が挿通されるようになっている。また、グロメット本体25は上端が平面に形成されており、この上面から挿通孔25ｂに亘ってスリット26が形成され、このスリット26が形成されたグロメット本体25の開口端部25ｃ、25ｄが当接および離隔することにより、グロメット本体25は拡開および閉塞可能になっている。
【００２１】
また、グロメット本体25には一対の舌部28ａ、28ｂが形成されており、この舌部28ａ、28ｂは挿通孔25ｂの開口端面に位置し、コルゲート管21が図示しないテープによって固定されるようになっている。
【００２２】
また、開口端部25ｃには係合凹部29ａが形成されており、開口端部25ｄには係合凹部29ａに係合する山形の係合凸部29ｂが形成されている。したがって、係合凹部29ａに係合凸部29ｂが係合したときに、グロメット本体25が横ずれするのを防止することができる。
【００２３】
このような構成を有するグロメット23にあっては、開口端部25ｃ、25ｄを離隔することによりスリット26を通して挿通孔25ｂにコルゲート管21を挿通した後、係合凹部29ａに係合凸部29ｂを係合させるようにして開口端部25ｃ、25ｄを当接させることによりスリット26を閉じた後、舌部28ａ、28ｂにテープによってコルゲート管21を固定してコルゲート管21をグロメット23に取付ける。次いで、係合溝25ａを取付け孔24ａに嵌合させることにより、ワイヤハーネス22をコルゲート管21およびグロメット23を介して車体パネル24に固定し、室内および室外に亘って配線する（図４参照）。
【００２４】
このように本実施形態では、グロメット本体25の上端から挿通孔25ｂに亘ってスリット26を形成し、このスリット26が形成されたグロメット本体25の開口端部25ｃ、25ｄを離隔させることにより、このスリット26を通してコルゲート管21を挿通孔25ｂに簡単に挿通することができる。また、挿通後には開口端部25ｃ、25ｄを当接させることにより、開口端部25ｃ、25ｄを閉塞してコルゲート管21が挿通孔25ｂから抜け出るのを防止することができる。
【００２５】
また、開口端部25ｃ、25ｄを当接したときに、係合凹部29ａに係合凸部29ｂを係合させているため、グロメット本体25が横ずれしてグロメット本体25の外周部に形成された係合溝25ａがずれてしまうのを防止することができ、係合溝25ａを挿通孔24ａに確実に係合させることができる。
【００２６】
また、挿通孔25ｂの開口端面に位置するグロメット本体25の両側側に舌部28ａ、28ｂを設け、コルゲート管21を舌部28ａ、28ｂにテープ巻きするようにしたため、コルゲート管21をグロメット本体25により強固に固定することができる。
【００２７】
なお、本実施形態では、舌部28ａ、28ｂをグロメット本体25の開口端面の両方に設けているが、一方側のみであっても良い。また、係合凹部29ａおよび係合凸部29ｂは一対だけ設けられているが、複数個設けても良い。
【００２８】
図５〜７は本発明に係るグロメットの第２実施形態を示す図である。なお、本実施形態では、第１実施形態と同様の構成には同一番号を付して説明を省略する。
【００２９】
本実施形態では、図５、６に示すように挿通孔25ｂに環状凸部27ａおよび環状凸部27ｂを交互に連続して形成し、この環状凸部27ａおよび環状凸部27ｂにコルゲート管21の環状凹部21ａおよび環状凸部21ｂを係合させるようにしたものである。このようにすれば、コルゲート管21がグロメット本体25に対して横ずれするのを防止することができる。
【００３０】
また、本実施形態では、舌部28ａ、28ｂの表面を平面状に形成しているが、図７に示すように、舌部28ａ、28ｂの表面にコルゲート管21の環状凹部21ａおよび環状凸部21ｂに係合可能な凹凸部30ａ、30ｂを形成しても良い。
【００３１】
このようにすれば、コルゲート管21を舌部28ａ、28ｂにテープ巻きするのと同時に、舌部28ａ、28ｂの表面に形成された凹凸部30ａ、30ｂにコルゲート管21の環状凹部21ａおよび環状凸部21ｂを係合させることができるため、コルゲート管21がグロメット23に対して横ずれするのをより確実に防止することができる。
【００３２】
なお、上記各実施形態は、何れもグロメット23にコルゲート管21を介してワイヤハーネス22を取付けるようにしているが、グロメット23に取付ける対象としては、空調用の配管、ウォッシャチューブのような配管等であっても良い。
【００３３】
なお、上記各実施形態では、係合凹部29ａおよび係合凸部29ｂを山形に形成しているが、これに限るものではない。
【００３４】
具体的には、図８に示すように、半円の係合凹部41ａおよびこの係合凹部41ａに係合する半円の係合凸部41ｂから構成しても良く、図９に示すように、波方の係合凹部42ａおよびこの係合凹部42ａに係合する波方の係合凸部42ｂから構成しても良く、図10に示すように、角形の係合凹部43ａおよびこの係合凹部43ａに係合する角形の係合凸部43ｂから構成しても良く、図11に示すように、鋸歯状の係合凹部44ａおよびこの係合凹部41ａに係合する鋸歯状の係合凸部44ｂから構成しても良い。
【００３５】
【発明の効果】
請求項１記載の発明によれば、グロメット本体の端部から挿通孔に亘ってスリットを形成し、このスリットが形成されたグロメット本体の開口端部を離隔させることにより、このスリットを通してコルゲート管を挿通孔に簡単に挿通することができる。また、挿通後には開口端部を当接させることにより、開口端部を閉塞してコルゲート管が挿通孔から抜け出るのを防止することができる。
【００３６】
また、開口端部を当接したときに、開口端部の一方側に形成された係合凹部を開口端部の他方側に形成された係合凹部に係合させているため、グロメット本体が横ずれしてグロメット本体の外周部に形成された係合溝がずれてしまうのを防止することができ、係合溝をパネル部材の挿通孔に確実に係合させることができる。
【００３７】
請求項２記載の発明によれば、コルゲート管がグロメット本体に対して横ずれするのを防止することができる。
【図面の簡単な説明】
【図１】本発明に係るグロメット第１実施形態を示す図であり、グロメットに取付けられるコルゲート管の外観図である。
【図２】第１実施形態のグロメットおよび車体パネルを示す図である。
【図３】（ａ）は第１実施形態のグロメットの正面図、（ｂ）はその側面図、（ｃ）はその上面図である。
【図４】第１実施形態のコルゲート管に取付けられたグロメットを上面から見た状態を示す図である。
【図５】本発明に係るグロメット第２実施形態を示す図であり、そのグロメットおよび車体パネルを示す図である。
【図６】（ａ）は第２実施形態のグロメットの断面図、（ｂ）はそのグロメット本体の挿通孔にコルゲート管を挿通した状態を示す図である。
【図７】第２実施形態の舌部の他の形状を示すグロメットの断面図である。
【図８】係合凹部および係合凸部の他の形状を示す図である。
【図９】係合凹部および係合凸部の他の形状を示す図である。
【図１０】係合凹部および係合凸部の他の形状を示す図である。
【図１１】係合凹部および係合凸部の他の形状を示す図である。
【図１２】（ａ）はコルゲート管の外観図、（ｂ）は従来のグロメットにコルゲート管を取付けた状態を示す図である。
【図１３】本出願人が提案したグロメットを示す図であり、（ａ）はグロメットおよび車体パネルを示す図、（ｂ）はグロメット本体の挿通孔にコルゲート管を挿通した状態を示す図である。
【符号の説明】
21    コルゲート管
21ａ    環状凹部
21ｂ    環状凸部
22    ワイヤハーネス（線状部材）
23    グロメット
24    車体パネル（パネル部材）
24ａ    取付け孔
25    グロメット本体
25ａ    係合溝
25ｂ    挿通孔
25ｃ、25ｄ    開口端部
26    スリット
27ａ    環状凸部
27ｂ    環状凹部
28ａ、28ｂ    舌部
29ａ    係合凹部
29ｂ    係合凸部
30ａ、30ｂ    凹凸部
【図１】
0003664916.tif 000002
【図２】
0003664916.tif 000003
【図３】
0003664916.tif 000004
【図４】
0003664916.tif 000005
【図５】
0003664916.tif 000006
【図６】
0003664916.tif 000007
【図７】
0003664916.tif 000008
【図８】
0003664916.tif 000009
【図９】
0003664916.tif 000010
【図１０】
0003664916.tif 000011
【図１１】
0003664916.tif 000012
【図１２】
0003664916.tif 000013
【図１３】
0003664916.tif 000014